(57)【要約】【課題】リアルタイム監視の停止及び計測データの消失を防ぐことができる子局装置、計測データ収集システム及び計測データ収集方法を提供する。【解決手段】子局装置は、各測定器８からの計測データを受け取るデータ入力部１２、受け取った計測データを処理する処理部１３、処理された計測データを所定の期間記憶する記憶部１４及び記憶された計測データを親局装置３又はバックアップ装置４に送信等するデータ受送信部により構成される。そして、処理部１３は、計測データ記憶機能、及び、蓄積された計測データを親局装置３又はバックアップ装置４に最後に送信したときの時刻を記憶させる最終時刻記憶機能を有し、最終時刻から所定の時間が経過した時点までに親局装置３から呼び出しがなかったとき、親局装置異常と判定し、蓄えていた計測データを所定のバックアップ装置４へ送信する送信制御機能を有する。【選択図】      図１
2004258874.tif 000002
【特許請求の範囲】
【請求項１】
親局装置からの呼び出しに応じて、蓄えていた計測データを通信回線を介して送信する子局装置において、
所定の時刻までに親局装置から呼び出しを受けなかったとき、蓄えていた計測データを通信回線を介して所定のバックアップ装置に送信することを特徴とする子局装置。
【請求項２】
親局装置からの呼び出しに応じて、蓄えていた計測データを通信回線を介して送信する子局装置において、
蓄えていた計測データを最後に送信した時刻を記憶する最終時刻記憶手段と、
前記最終時刻から所定の時間が経過した時点までに親局装置から呼び出しがなかったとき、親局装置異常と判定する親局装置異常判定手段と、
前記親局異常判定手段により、親局異常と判定したとき、蓄えていた計測データを通信回線を介して所定のバックアップ装置に送信するバックアップ送信手段と、を具備することを特徴とする子局装置。
【請求項３】
親局装置、子局装置及びバックアップ装置からなり、親局装置から子局装置を呼び出し、子局装置に蓄えていた計測データを通信回線を介して親局装置に収集する計測データ収集システムにおいて、
前記子局装置は、所定の時刻までに親局装置から呼び出しを受けなかったとき、蓄えていた計測データを通信回線を介して所定のバックアップ装置に送信することを特徴とする計測データ収集システム。
【請求項４】
親局装置、子局装置及びバックアップ装置からなり、親局装置から子局装置を呼び出し、子局装置に蓄えていた計測データを通信回線を介して親局装置に収集する計測データ収集システムにおいて、
前記子局装置は、
蓄えていた計測データを最後に送信した時刻を記憶する最終時刻記憶手段と、前記最終時刻から所定の時間が経過した時点までに親局装置から呼び出しがなかったとき、親局装置異常と判定する親局装置異常判定手段と、
前記親局異常判定手段により、親局異常と判定したとき、蓄えていた計測データを通信回線を介して所定のバックアップ装置に送信するバックアップ送信手段と、を具備することを特徴とする計測データ収集システム。
【請求項５】
親局装置から子局装置を呼び出し、子局装置に蓄えていた計測データを通信回線を介して親局装置に収集する計測データ収集方法において、
前記子局装置が所定の時刻までに親局装置から呼び出しを受けなかったとき、親局装置異常と判断するステップと、
親局装置異常と判断したとき、蓄えていた計測データを通信回線を介して所定のバックアップ装置に送信するステップと、を具備することを特徴とする計測データ収集方法。
【請求項６】
親局装置から子局装置を呼び出し、子局装置に蓄えていた計測データを通信回線を介して親局装置に収集する計測データ収集方法において、前記子局装置が蓄えていた計測データを最後に送信した時刻を最終時刻として記憶するステップと、
前記最終時刻から所定の時間が経過した時点までに親局装置から呼び出しがなかったとき、親局装置異常と判定するステップと、
親局異常と判定したとき、蓄えていた計測データを通信回線を介して所定のバックアップ装置に送信するステップと、を具備することを特徴とする計測データ収集方法。
【発明の詳細な説明】
【０００１】
【発明の属する技術分野】
本発明は、大気汚染状況などの計測データを蓄積し、親局装置からの呼び出しに応じて、蓄えていた計測データを送信し、親局装置異常時には、バックアップ装置に計測データを送信する子局装置、計測データ収集システム及び計測データ収集方法に関する
【０００２】
【従来の技術】
自治体等においては、地域の大気汚染状況等をリアルタイムに監視するため、地域内の各地に子局装置を設置し、各子局装置からの計測データを一定時間毎に親局装置が呼び出し電話回線等の回線交換網を介して収集するという計測データ収集システムを採用している。
【０００３】
すなわち、従来の子局装置は、地域内の適当な各場所に設置され、その場所で計測したＳＯ２濃度等の大気汚染データを蓄える。一方、自治体の中央監視室等には親局装置が設けられ、地域内の各場所に設置された各子局装置と回線交換網で接続される。そして、各子局装置は、一定時間毎に親局装置から、回線交換網を介して蓄えられた計測データの呼び出しを順次受ける。計測データの呼び出しを受けた子局装置は、回線交換網を介して親局装置に蓄えた計測データを送信している。
【０００４】
図６は従来の計測データ収集システムの構成図を示す。
【０００５】
図６に示すように、従来の計測データ収集システムは、子局装置ａ１，ａ１，・・・，ａｎ（子局装置１と総称する）、回線交換網２及び親局装置３から構成される。
【０００６】
子局装置１は、ＳＯ２濃度計などの各測定器からの計測データを記憶し、親局装置３から呼び出しがあったとき、記憶した計測データを回線交換網２を介して親局装置３に送信する。
【０００７】
親局装置３は、一定時間間隔で（例えば１時間間隔で）あらかじめ定められた所定の時刻に順次各子局装置ａ１，ａ２，・・・，ａｎに対して計測データの呼び出しを行う。すなわち、所定に時刻になると、親局装置３は、まず子局装置ａ１に対して計測データの呼び出しを行う。そして子局装置ａ１からの計測データを受け取りが完了したら、引き続き次の子局装置ａ２対して計測データの呼び出しを行う。そして子局装置ａ２からの計測データを受け取りが完了したら、次の子局装置ａ３対して計測データの呼び出しを行う。このようにして順次、親局装置３が管轄する最後の子局装置ａｎに対して計測データの呼び出し処理を行い、この呼び出し処理が完了した時点で当該時刻における計測データ呼び出し処理が完了する。そして、次の所定の時刻が来れば再び上記処理を繰り返す。
【０００８】
ここで、親局装置３から子局装置（例えば子局装置ａ２）に対して計測データの呼び出しを行った後、その子局装置ａ２から親局装置３が計測データを受け取るまでの処理にかかる時間には上限値が設けられ、この処理にかかる時間が上限値を超えたとき、その子局装置（この場合は子局装置ａ２）に対する計測データ呼び出し処理を未完の状態にしたまま、次の子局装置（この場合は子局装置ａ３）に対して計測データの呼び出し処理を行う。そして最後の子局装置ａｎに対する計測データの呼び出し処理が完了した時点で、未完の子局装置（この場合は子局装置ａ２）に対し、計測データ呼び出し処理の再試行を行う。
【０００９】
再試行で、計測データの呼び出し処理が上限値を超えない時間内に完了すればその時刻における計測データ呼び出し処理が完了する、うまく行かなかった場合は、あらかじめ定められた回数再試行を繰り返し、それでもうまく行かなかった場合は、当該子局装置ａ２からの計測データは欠落させた状態で、処理が完了する。そして、次の所定の時刻になると、親局装置３は、初期状態に戻って、順次各子局装置ａ１，ａ２，・・・，ａｎに対して計測データの呼び出しを行う。すなわち、最初の子局装置ａ１から順次全ての子局装置ａ１，ａ２，・・・，ａｎに対して計測データの呼び出し処理を繰り返す。
【００１０】
このとき、親局装置３から子局装置１に対して計測データの呼び出しがなされなかった場合は、子局装置１から親局装置３に計測データの送信はなされない。
【００１１】
【特許文献１】
特開２００２−７７４２７号公報
【００１２】
【発明が解決しようとする課題】
上記のように、従来の計測データ収集システムでは、親局装置３もしくは親局装置側の回線等に異常や停止が発生した場合は、子局装置１は親局装置３から計測データの呼び出しを受けることができないため、子局装置１から親局装置３に対し計測データの送信を行うことができなかった。
【００１３】
このため、親局装置３もしくは親局装置側の回線等に異常や停止が発生した場合は、計測データのリアルタイム監視が停止した。さらに、親局装置３における異常や停止期間が子局装置１での計測データ保持期間以上の長期にわたった場合は計測データが消失した。
【００１４】
本発明は、上記の課題に鑑みてなされたもので、子局装置が親局装置における異常や停止の発生を認識し、親局装置における異常や停止が発生したとき、あらかじめ設定されたバックアップ装置に自発的に計測データを送信することにより、リアルタイム監視の停止及び計測データの消失を防ぐ子局装置、計測データ収集システム及び計測データ収集方法を提供することを目的とする。
【００１５】
【課題を解決するための手段】
本発明に係る子局装置、計測データ収集システム及び計測データ収集方法は、親局装置からの呼び出しに応じて、蓄えていた計測データを通信回線を介して送信する子局装置において、所定の時刻までに親局装置から呼び出しを受けなかったとき、蓄えていた計測データを通信回線を介して所定のバックアップ装置に送信することを特徴とする。
【００１６】
このように、本発明に係る子局装置、計測データ収集システム及び計測データ収集方法によれば、所定の時刻までに親局装置から呼び出しを受けなかったとき、親局装置に異常又は停止が発生したと判断し、あらかじめ設定されたバックアップ装置に自発的に計測データを送信するので、リアルタイム監視の停止や計測データの消失を防ぐことができる。
【００１７】
【発明の実施の形態】
以下、本発明に係る子局装置、計測データ収集システム及び計測データ収集方法の一実施の形態を図１乃至図５を参照して詳細に説明する。なお、図６に示した従来の構成と同一構成には同一符号を付して詳細な説明は省略する。
【００１８】
図１は、本発明に係る子局装置の一実施の形態を示した機能構成図である。
【００１９】
図１に示すように、子局装置は、各測定器８からの計測データを受け取るデータ入力部１２、受け取った計測データを処理する処理部１３、処理された計測データを所定の期間記憶する記憶部１４及び記憶された計測データを親局装置３又はバックアップ装置４に送信したり親局装置３からの呼び出し信号を受信するデータ受送信部からなる。
【００２０】
ここで、処理部１３は、データ入力部１２を介して所定の周期で受け取った計測データに計測時刻を付して記憶部１４へ送り計測データを記憶させる計測データ記憶機能、及び、蓄積された計測データをデータ送受信部１５を介して親局装置３又はバックアップ装置４に最後に送信したときの時刻を記憶させる最終時刻記憶機能を有する。さらに、処理部１３は、最終時刻から所定の時間が経過した時点までに親局装置３から呼び出しがなかったとき、親局装置異常と判定する親局装置異常判定機能、及び、親局装置異常と判定したとき、蓄えていた計測データをデータ送受信部１５を介して所定のバックアップ装置４へ送信させるためのバックアップ装置４への接続送信制御機能を有する。
【００２１】
図２は本実施の形態における計測データ収集システムの構成図を示す。
【００２２】
図２に示すように、本実施の形態における計測データ収集システムは、子局装置ａ１，ａ２，・・・，ａｎ（子局装置１と総称する）、通信回線としての回線交換網２、親局装置３及びバックアップ装置４から構成される。
【００２３】
子局装置１は、地域内の適当な各場所に設置され、各測定器からの計測データを記憶し、親局装置３から呼び出しがあったとき、記憶した計測データを回線交換網２を介して親局装置３に送信する。さらに、最終時刻から所定の時間が経過した時点までに親局装置３から呼び出しがなかったとき、親局異常と判定し、蓄えていた計測データをデータ送受信部１５を介して所定のバックアップ装置４へ自発的に送信する。
【００２４】
交換回線網２は、ここでは電話回線網を用いる。したがって、親局装置３から子局装置（例えばａ１）へ呼び出しを行い、子局装置ａ１から親局装置３まで計測データの送信が完了するまで、親局装置３と子局装置ａ１との回線は保持される。
【００２５】
親局装置３は、自治体の中央監視室等の設置され、あらかじめ一定時間間隔で（例えば１時間間隔で）定められた所定の時刻に順次各子局装置ａ１，ａ２，・・・，ａｎに対して計測データの呼び出しを行う。すなわち、所定の時刻になると、親局装置３は、まず子局装置ａ１に対して計測データの呼び出しを行う。そして子局装置ａ１からの計測データを受け取りが完了したら、引き続き次の子局装置ａ２対して計測データの呼び出しを行う。そして子局装置ａ２からの計測データを受け取りが完了したら、次の子局装置ａ３対して計測データの呼び出しを行う。このようにして順次、親局装置３が管轄する最後の子局装置ａｎに対して計測データの呼び出し処理を行い、この呼び出し処理が完了した時点で当該時刻における計測データ呼び出し処理が完了する。その後、次の所定の時刻が来たとき上記処理を繰り返す。
【００２６】
バックアップ装置４は、自治体の副監視室等に設置され、いずれかの子局装置１からの計測データ受信を検知するまで、待機状態を継続する。いずれかの子局装置（例えばａ１）からの計測データ受信を検知した時、待機状態を解除し、親局装置３の状態監視処理を開始し、親局装置３が正常となるまで定期的に状態監視を継続する。
【００２７】
次に、図２及び図３を参照して、本実施の形態における子局装置１に蓄積された計測データの送信動作について説明する。
【００２８】
ここでは、説明を簡単にするため、親局装置３と子局装置１との交換回線は１回線のみ使用するものとして説明する。したがって、同時に１つの子局装置１からのみ親局装置３へのデータ送信が出来る。交換回線を２回線使用するとすれば同時に２つの子局装置１から親局装置３へのデータ送信が可能となるが、基本的な考え方は変わらない。
【００２９】
図２に示すように、まず親局装置３は、交換回線網２を介して子局装置ａ１に対して計測データの呼び出しを行う（ｄ２１）。子局装置ａ１は、親局装置３からの計測データの呼び出し（ｄ２１）を受けると、記憶部に蓄えられていた計測データをデータ送受信部１５から交換回線網２を介して親局装置３に送信する。親局装置３に送信した時刻は、子局装置ａ１の記憶部１４に前回親局装置３に送信した時刻として記憶されている時刻（最終時刻）を更新し、最新の最終時刻として子局装置ａ１の記憶部１４に記憶される。
【００３０】
ここで、親局装置３に送信される計測データには、計測時刻が付加されたものとなっている。また、測定器８で計測された計測データが入力される所定の周期は、親局装置３から子局装置ａ１に計測データの呼び出し周期と同じであるが、計測データが子局装置ａ１に入力される時刻と親局装置３から計測データの呼び出しがなされる時刻とは同時刻ではない。計測データには計測時刻が付加されているので親局装置３から呼び出しがあった時刻と一致させる必要がないからである。したがって、ここでは、測定器８で計測された計測データが入力される所定の周期は、親局装置３から子局装置ａ１に計測データの呼び出し周期と同じとしたが、同じでなくても良いことは言うまでもない。
【００３１】
また、ここでは交換回線網２は電話回線網を用いるので、親局装置３から子局装置ａ１へ呼び出しを行い、子局装置ａ１から親局装置３まで計測データの送信が完了するまでの上記処理期間中は、親局装置３と子局装置ａ１との回線は保持される。したがって、同時に２つ以上の子局装置１から親局装置３へのデータ送信がなされることはない。
【００３２】
子局装置ａ１からの計測データを受け取りが完了したら、引き続き次の子局装置ａ２対して同様に計測データの呼び出しを行い、上記と同様の処理がなされる。同様にして順次子局装置ａ３，ａ４，・・・，ａｎに対して計測データの呼び出し処理を行い、親局装置３が管轄する最後の子局装置ａｎに対して計測データの呼び出し処理が完了したとき一連の計測データ呼び出し処理が完了する。
【００３３】
上記一連の計測データ呼び出し処理は、所定の周期で繰り返される。
【００３４】
ここで、各子局装置ａ１，ａ２，・・・，ａｎにおいて、親局装置３に送信した時刻として記憶された最終時刻は、上述の通り、計測データ呼び出し処理が各子局装置ａ１，ａ２，・・・，ａｎに対し順次行われるため、各々異なった最終時刻が記憶されることになる。
【００３５】
続いて、親局装置３が何らかの理由で異常又は停止状態となった場合について説明する。図３は、親局装置３が異常又は停止状態となった場合の動作を説明する図である。
【００３６】
図３に示すように、親局装置３が何らかの理由で異常又は停止状態となった場合、親局装置３は、子局装置１に計測データの呼び出し（ｄ３１）を行うことができなくなる。そこで各子局装置ａ１，ａ２，・・・，ａｎは、各々の記憶部１４に記憶された最終時刻から所定の期間（親局装置３から計測データの呼び出しがなされる周期＋α）親局装置３から計測データの呼び出しが無かった場合、親局装置３が異常であると判定し、蓄えていた計測データをデータ送受信部１５を介してバックアップ装置４へ自発的に送信する。
【００３７】
上述の通り、各子局装置ａ１，ａ２，・・・，ａｎにおいて、最後に親局装置３に送信した時刻として記憶される最終時刻は、各子局装置ａ１，ａ２，・・・，ａｎ毎に異なっているため、最終時刻から所定の期間経過後の時刻も各子局装置ａ１，ａ２，・・・，ａｎ毎に異なることになる。したがって、各子局装置ａ１，ａ２，・・・，ａｎが一斉にバックアップ装置に対してデータ送信を行い、話中による待ち時間が継続することを避けることが出来る。
【００３８】
なお、バックアップ装置４へ送信した時刻は、最終時刻として各子局装置ａ１，ａ２，・・・，ａｎの記憶部１４に更新記憶される。この最終時刻から所定の時間（親局装置３から計測データの呼び出しがなされる周期＋α）が経過しても親局装置３から呼出が無い場合は、親局装置３の異常が継続していると判定し、この時点でバックアップ装置へ自発的にデータを送信する。この場合も同様に、データ送信後には最終時刻を更新する。
【００３９】
バックアップ装置４は、いずれかの子局装置１からのデータ受信をトリガとして待機状態を解除し、Ｐｉｎｇ等を用いて親局装置３の状態監視処理を開始する。
【００４０】
親局装置３の状態が正常に復帰し、かつ子局装置１からのデータ受信が途絶えたとき、親局装置３と子局装置１との通信が正常に復旧したと判定し、子局装置１から受信し管理していたデータを全て親局装置３に対して転送する。この後、待機状態に移行する。
【００４１】
次に、子局装置１の動作について説明する。図４は子局装置１の動作を示すフローチャートである。
【００４２】
子局装置１は、まずＳ１で、最終時刻すなわち、前回親局装置３又はバックアップ装置４にデータ送信を行った時刻から所定の時間が経過したかどうかを判断する。ここでの所定の時間とは、親局装置３から計測データの呼び出しがなされる周期＋αの時間を意味する。例えば、親局装置３から計測データの呼び出しがなされる周期が６０分である場合において、他の子局装置１と親局装置３との送受信期間のゆらぎを考えても３分以上遅れることがあり得ない場合は、α＝３分と設定するのが適当である。ただし、αの値は、システムの実状に合わせて変更可能なものとしておく。
【００４３】
所定の時間が経過していない状態においては、Ｓ２に進み、親局装置３から計測データの呼び出しがなされているかどうかを判断し、計測データの呼び出しがあったとき、Ｓ３に進み、親局装置３にデータ送信を行う。その後、Ｓ５にて、最終時刻の更新を行う。
【００４４】
Ｓ２で、計測データの呼び出しがなされていない場合は、再びＳ１に戻り、最終時刻から所定の時間経過したかどうかを判断し、所定の時間が経過していた場合は、すなわち、親局装置３から計測データの呼び出しが無い状態で（Ｓ２）所定の時間経過した場合は、Ｓ４に進み、バックアップ装置４にデータ送信を行う。その後、Ｓ５にて、最終時刻の更新を行う。
【００４５】
なお、ここで、子局装置１と親局装置３との間で送受信を行う交換回線網２として、電話回線を用いたが、親局装置３からの呼び出しに応答して子局装置１から送信することができるものなら良く、例えばＰＨＳ回線等を使っても良いことは言うまでもない。
【００４６】
このように、子局装置１は、最終時刻から所定の時間が経過しても親局装置３から計測データの呼び出しがなかったとき、親局装置３が異常であると判定し、蓄えたデータを所定のバックアップ装置４に送信するので、リアルタイムのデータ収集を継続することが出来ると同時にデータの消失を防止することが出来る。
【００４７】
また、最終時刻から所定の期間経過後の時刻は、各子局装置ａ１，ａ２，・・・，ａｎ毎に異なるので、各子局装置ａ１，ａ２，・・・，ａｎが一斉にバックアップ装置に対してデータ送信を行い、話中による待ち時間が継続することを避けることが出来る。
【００４８】
次に、バックアップ装置４の動作について説明する。図５はバックアップ装置４の動作を示すフローチャートである。
【００４９】
バックアップ装置４は、通常、待機状態にあり（Ｓ１１）、Ｓ１２にて子局装置１からデータ受信を検知したかどうかを判定し、データ受信を検知しない場合は、Ｓ１１に戻って待機状態を維持し、データ受信を検知した場合は、Ｓ１３に進んで親局装置３の状態監視を行う。
【００５０】
次いで、Ｓ１４で親局装置３が正常かどうかを判断し、正常でなければＳ１３に戻って親局装置３の状態監視を続け、正常である場合はＳ１５に進んで子局装置１からのデータ受信を継続しているかどうかを判断する。子局装置１からのデータ受信を継続している場合は、親局装置３と子局装置１との通信は正常に復旧していないと判断し、Ｓ１３に戻って、上記ステップを繰り返す。子局装置１からのデータ受信を継続していない場合は、Ｓ１６に進み親局装置３と子局装置１との通信は正常に復旧したと判断し、続いてＳ１７にて、バックアップ装置４が子局装置１から受信した全てのデータを親局装置３に転送する。
【００５１】
このように、バックアップ装置４は、親局装置３と子局装置１との通信が正常に復旧したとき、子局装置１から受信した全てのデータを親局装置３に転送するので、親局装置３は、異常のデータを失うことなく、正常に復帰した後、通常運転を続行することが出来る。
【００５２】
以上説明のように、本発明の子局装置１によれば、最終時刻から所定の時間経過しても親局装置３から計測データの呼び出しがなかったとき、親局装置３が異常であると判定し、蓄えたデータを所定のバックアップ装置４に送信するので、リアルタイムのデータ収集を継続することが出来ると同時にデータの消失を防止することが出来る。
【００５３】
【発明の効果】
上記のように、本発明に係る子局装置、計測データ収集システム及び計測データ収集方法によれば、所定の時刻までに親局装置から呼び出しを受けなかったとき、親局装置に異常又は停止が発生したと判断し、あらかじめ設定されたバックアップ装置に自発的に計測データを送信するので、リアルタイム監視の停止や計測データの消失を防ぐことができる。
【図面の簡単な説明】
【図１】本発明に係る子局装置の一実施の形態を示した機能構成図である。
【図２】本実施の形態の収集システムの構成図である。
【図３】親局装置が異常又は停止状態となった場合の動作説明図である。
【図４】子局装置の動作を示すフローチャートである。
【図５】バックアップ装置の動作を示すフローチャートである。
【図６】従来の計測データ収集システムの構成図である。
【符号の説明】
１  子局装置
２  回線交換網
３  親局装置
４  バックアップ装置
８  各測定器
１２  データ入力部
１３  処理部
１４  記憶部
１５  データ送受信部
【図１】
2004258874.tif 000003
【図２】
2004258874.tif 000004
【図３】
2004258874.tif 000005
【図４】
2004258874.tif 000006
【図５】
2004258874.tif 000007
【図６】
2004258874.tif 000008